【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
情報処理装置であり、
放送番組に関連する記事情報を含み記事識別子および記事の関連する番組の番組識別子を持つ記事管理情報を入力するデータ入力手段と、
前記記事管理情報を格納する記憶部と、
前記記憶部に格納された記事管理情報を取得し、番組識別子に基づいて番組単位で番組関連記事を分類した集計データを生成するデータ集計手段と、
前記データ集計手段の生成した集計データに基づいて、関連記事の多い番組を識別可能とした表示データを生成し、表示するよう制御する表示制御手段と、
を有することを特徴とする情報処理装置。
【請求項２】
前記データ集計手段は、
前記集計データに基づいて、番組ごとの記事数が予め定めた閾値以上であるか否かを、判定する処理を実行する構成であり、
前記表示制御手段は、
前記閾値以上である番組情報の表示を識別可能な表示態様とした表示データの生成を実行する構成であることを特徴とする請求項１に記載の情報処理装置。
【請求項３】
前記表示制御手段は、
前記閾値以上である番組情報を識別可能とするアイコンを表示する制御処理を実行する構成であることを特徴とする請求項２に記載の情報処理装置。
【請求項４】
前記表示制御手段は、
前記集計データに基づいて、番組に対応する記事数の多い順に番組情報を並べたリスト態様の表示データ生成処理を実行する構成であることを特徴とする請求項１に記載の情報処理装置。
【請求項５】
前記表示制御手段は、
前記集計データに基づいて、番組に対応する記事数の多い順に番組情報を並べたリスト態様の表示データ生成処理を実行するとともに、各番組対応の記事情報を併せて提示する表示データを生成する構成であることを特徴とする請求項１に記載の情報処理装置。
【請求項６】
情報処理方法であり、
放送番組に関連する記事情報を含み記事識別子および記事の関連する番組の番組識別子を持つ記事管理情報を取得し、番組識別子に基づいて番組単位で番組関連記事を分類した集計データを生成するデータ集計ステップと、
前記データ集計ステップにおいて生成した集計データに基づいて、関連記事の多い番組を識別可能とした表示データを生成し、表示するよう制御する表示制御ステップと、
を有することを特徴とする情報処理方法。
【請求項７】
前記データ集計ステップは、
前記集計データに基づいて、番組ごとの記事数が予め定めた閾値以上であるか否かを、判定する処理を実行するステップを含み、
前記表示制御ステップは、
前記閾値以上である番組情報の表示を識別可能な表示態様とした表示データの生成を実行するステップを含むことを特徴とする請求項６に記載の情報処理方法。
【請求項８】
前記表示制御ステップは、
前記閾値以上である番組情報を識別可能とするアイコンを表示する制御処理を実行するステップを含むことを特徴とする請求項７に記載の情報処理方法。
【請求項９】
前記表示制御ステップは、
前記集計データに基づいて、番組に対応する記事数の多い順に番組情報を並べたリスト態様の表示データ生成処理を実行するステップを含むことを特徴とする請求項６に記載の情報処理方法。
【請求項１０】
前記表示制御ステップは、
前記集計データに基づいて、番組に対応する記事数の多い順に番組情報を並べたリスト態様の表示データ生成処理を実行するとともに、各番組対応の記事情報を併せて提示する表示データを生成するステップを含むことを特徴とする請求項６に記載の情報処理方法。
【請求項１１】
表示情報生成処理を実行するコンピュータ・プログラムであり、
放送番組に関連する記事情報を含み記事識別子および記事の関連する番組の番組識別子を持つ記事管理情報を取得し、番組識別子に基づいて番組単位で番組関連記事を分類した集計データを生成するデータ集計ステップと、
前記データ集計ステップにおいて生成した集計データに基づいて、関連記事の多い番組を識別可能とした表示データを生成し、表示するよう制御する表示制御ステップと、
を有することを特徴とするコンピュータ・プログラム。
【手続補正２】
【補正対象書類名】明細書
【補正対象項目名】０００９
【補正方法】変更
【補正の内容】
【０００９】
本発明の第１の側面は、
情報処理装置であり、
放送番組に関連する記事情報を含み記事識別子および記事の関連する番組の番組識別子を持つ記事管理情報を入力するデータ入力手段と、
前記記事管理情報を格納する記憶部と、
前記記憶部に格納された記事管理情報を取得し、番組識別子に基づいて番組単位で番組関連記事を分類した集計データを生成するデータ集計手段と、
前記データ集計手段の生成した集計データに基づいて、関連記事の多い番組を識別可能とした表示データを生成し、表示するよう制御する表示制御手段と、
を有することを特徴とする情報処理装置にある。
【手続補正３】
【補正対象書類名】明細書
【補正対象項目名】００１０
【補正方法】変更
【補正の内容】
【００１０】
さらに、本発明の情報処理装置の一実施態様において、前記データ集計手段は、前記集計データに基づいて、番組ごとの記事数が予め定めた閾値以上であるか否かを、判定する処理を実行する構成であり、前記表示制御手段は、前記閾値以上である番組情報の表示を識別可能な表示態様とした表示データの生成を実行する構成であることを特徴とする。
【手続補正４】
【補正対象書類名】明細書
【補正対象項目名】００１１
【補正方法】変更
【補正の内容】
【００１１】
さらに、本発明の情報処理装置の一実施態様において、前記表示制御手段は、前記閾値以上である番組情報を識別可能とするアイコンを表示する制御処理を実行する構成であることを特徴とする。
【手続補正５】
【補正対象書類名】明細書
【補正対象項目名】００１２
【補正方法】変更
【補正の内容】
【００１２】
さらに、本発明の情報処理装置の一実施態様において、前記表示制御手段は、前記集計データに基づいて、番組に対応する記事数の多い順に番組情報を並べたリスト態様の表示データ生成処理を実行する構成であることを特徴とする。
【手続補正６】
【補正対象書類名】明細書
【補正対象項目名】００１３
【補正方法】変更
【補正の内容】
【００１３】
さらに、本発明の情報処理装置の一実施態様において、前記表示制御手段は、前記集計データに基づいて、番組に対応する記事数の多い順に番組情報を並べたリスト態様の表示データ生成処理を実行するとともに、各番組対応の記事情報を併せて提示する表示データを生成する構成であることを特徴とする。
【手続補正７】
【補正対象書類名】明細書
【補正対象項目名】００１４
【補正方法】変更
【補正の内容】
【００１４】
さらに、本発明の第２の側面は、
情報処理方法であり、
放送番組に関連する記事情報を含み記事識別子および記事の関連する番組の番組識別子を持つ記事管理情報を取得し、番組識別子に基づいて番組単位で番組関連記事を分類した集計データを生成するデータ集計ステップと、
前記データ集計ステップにおいて生成した集計データに基づいて、関連記事の多い番組を識別可能とした表示データを生成し、表示するよう制御する表示制御ステップと、
を有することを特徴とする情報処理方法にある。
【手続補正８】
【補正対象書類名】明細書
【補正対象項目名】００１９
【補正方法】変更
【補正の内容】
【００１９】
さらに、本発明の第３の側面は、
表示情報生成処理を実行するコンピュータ・プログラムであり、
放送番組に関連する記事情報を含み記事識別子および記事の関連する番組の番組識別子を持つ記事管理情報を取得し、番組識別子に基づいて番組単位で番組関連記事を分類した集計データを生成するデータ集計ステップと、
前記データ集計ステップにおいて生成した集計データに基づいて、関連記事の多い番組を識別可能とした表示データを生成し、表示するよう制御する表示制御ステップと、
を有することを特徴とするコンピュータ・プログラムにある。